(57)【特許請求の範囲】
【請求項１】
揮発性物質を含む炭素質材料からなる被処理物を水蒸気雰囲気中で加熱する加熱室と、この加熱室で加熱した被処理物を冷却する冷却室と、前記加熱室の被処理物の搬入側に設けられた入口パージ室と、前記冷却室の被処理物の搬出側に設けられた出口パージ室と、被処理物を前記入口パージ室、加熱室、冷却室及び出口パージ室に順次搬送する搬送装置とを備える賦活処理用連続加熱炉において、
前記被処理物から揮発した物質を加熱室から炉外に回収する回収装置と、
回収した揮発物質を燃焼させる燃焼装置と、
燃焼装置で発生するガスを入口パージ室及び出口パージ室に供給するガス供給装置とを備え、
前記燃焼装置で発生するガスを直接大気に廃棄することなくパージガスとして循環再利用することを特徴とする賦活処理用連続加熱炉。
【発明の詳細な説明】
【０００１】
【発明の属する技術分野】
この発明は、揮発性物質を含む炭素質材料からなる被処理物を、水蒸気雰囲気中で加熱する賦活処理用連続加熱炉に関する。
【０００２】
【従来の技術】
この種の連続加熱炉として、被処理物を搬送装置により入口パージ室を通して加熱室に搬入し、この加熱室にて水蒸気雰囲気中で５００〜１０００℃に加熱処理して揮発性物質を蒸散させた後、前記搬送装置により冷却室に移送して冷却し、出口パージ室を通して炉外に搬出するものが知られている。
かかる賦活処理用連続加熱炉においては、炭素質材料に含まれているタールやピッチ等の揮発性物質から揮発成分が炉内に排出されるが、この排出された揮発物質は、炉外に導かれて燃焼廃棄されている。
【０００３】
【発明が解決しようとする課題】
前記従来の賦活処理用連続加熱炉は、その使用中において前記入口パージ室及び出口パージ室に、窒素ガス等のパージガスを常時供給する必要がある。このため、多量のパージガスを消費し、処理コストが高く付くという問題があった。また、被処理物から揮発した物質を燃焼した際に発生するガスをそのまま大気に放出すると環境負荷となるという問題もあった。
【０００４】
上記のような従来の問題点に鑑み、この発明は、パージ室に供給している従来のパージガスを不要にすることができるとともに、揮発した物質の燃焼により発生するガスをパージガスとして循環再利用することにより、環境負荷の低減を図ることができる賦活処理用連続加熱炉を提供することを目的とする。
【０００５】
【課題を解決するための手段】
前記目的を達成するためのこの発明の賦活処理用連続加熱炉は、揮発性物質を含む炭素質材料からなる被処理物を水蒸気雰囲気中で加熱する加熱室と、この加熱室で加熱した被処理物を冷却する冷却室と、前記加熱室の被処理物の搬入側に設けられた入口パージ室と、前記冷却室の被処理物の搬出側に設けられた出口パージ室と、被処理物を前記入口パージ室、加熱室、冷却室及び出口パージ室に順次搬送する搬送装置とを備える賦活処理用連続加熱炉において、前記被処理物から揮発した物質を加熱室から炉外に回収する回収装置と、回収した揮発物質を燃焼させる燃焼装置と、燃焼装置で発生するガスを入口パージ室及び出口パージ室に供給するガス供給装置とを備え、前記燃焼装置で発生するガスを直接大気に廃棄することなくパージガスとして循環再利用することを特徴とする。
このように構成された賦活処理用連続加熱炉は、加熱室において被処理物から揮発した物質を、前記回収装置によって回収し、この回収した揮発物質を燃焼装置によって燃焼させ、当該燃焼装置で発生するガスを、ガス供給装置によってパージガスとして入口パージ室及び出口パージ室に供給することができ、これにより、前記燃焼装置で発生するガスを直接大気に廃棄することなくパージガスとして循環再利用することができる。
【０００６】
【発明の実施の形態】
図１は、この発明の賦活処理用連続加熱炉の一実施形態を示す模式図である。この連続加熱炉は、揮発性物質を含む被処理物を加熱及び冷却する炉体１と、この炉体１の内部を挿通するネットコンベアからなる搬送装置２と、被処理物から揮発した物質（以下「揮発物質」という）を炉内から炉外に導いて回収する回収装置３と、回収した揮発物質を燃焼させる燃焼装置４と、この揮発物質の燃焼に伴って発生するのガスをパージガスとして燃焼装置４から炉体１に供給するガス供給装置５とにより主要部が構成されている。
【０００７】
図２も参照して、前記炉体１は、被処理物を加熱する加熱室１１と、この加熱室１１で加熱した被処理物を冷却する冷却室１２と、前記加熱室１１に隣接させて被処理物の搬入側に設けられた入口パージ室１３と、前記冷却室１２に隣接させて被処理物の搬出側に設けられた出口パージ室１４とを備えている。
【０００８】
前記加熱室１１は、搬送装置２によって入口パージ室１３から搬入された被処理物を、水蒸気雰囲気中で５００〜１０００℃に加熱して賦活処理するものである。この加熱室１１の周囲は断熱壁１１ａによって覆われており、搬送装置２の搬送面を挟んだ上下位置には、多数の噴射ノズルを有する蒸気配管１１ｂが配列されている。また、前記加熱室１１の入口パージ室１３寄りの天井部には、雰囲気回収口１１ｃが設けられており、加熱室１１と入口パージ室１３との境界部、及び加熱室１１と冷却室１２との境界部には、搬送装置２とその上に載置された被処理物の通過を許容した状態で仕切壁１１ｄが設けられている。
【０００９】
冷却室１２は、加熱室１１に続く徐冷域１２ａと、それに続く二重構造による外部水冷域１２ｂから構成されており、この外部水冷域１２ｂには、搬送空間を包囲した状態で水冷ジャッケト１２ｃが配置されており、この水冷ジャッケト１２ｃに炉外から冷却水を循環供給することにより、加熱室１１から搬入された被処理物を冷却できるようになっている。
また、冷却室１２と出口パージ室１４との境界部には、搬送装置２とその上に載置された被処理物の通過を許容した状態で仕切壁１２ｄが設けられている。
【００１０】
入口パージ室１３は、加熱室１１の雰囲気をシールするためのものであり、その内部には前記燃焼装置４で発生するガスが、ガス供給装置５を介して供給されている。また、入口パージ室１３の被処理物の搬入側には、搬送装置２とその上に載置された被処理物の通過を許容する開口１３ａが設けられており、その天井部には雰囲気回収口１３ｂが設けられている。
出口パージ室１４は、冷却室１２の雰囲気をシールするためのものであり、その内部には前記燃焼装置４で発生するガスがガス供給装置５を介して供給されている。また、出口パージ室１４の被処理物の搬出側には、搬送装置２とその上に載置された被処理物の通過を許容する開口１４ａが設けられており、その天井部には雰囲気回収口１４ｂが設けられている。
【００１１】
搬送装置２は、その搬送面側が前記炉体１を挿通した状態で無端回動するものであり、被処理物を入口パージ室１３から出口パージ室１４に向かって連続的に搬送する。
回収装置３は、加熱室１１、入口パージ室１３及び出口パージ室１４のそれぞれの雰囲気回収口１１ｃ，１３ｂ，１４ｂと燃焼装置４の燃焼室４１とを配管３１によって連通し、この配管３１の途中部に、一対のトラップ３２，３３及び吸気ブロワー３４を介在したものである。各トラップ３２，３３は水冷されており、一方のトラップ３２は加熱室１１及び入口パージ室１３から排出される雰囲気ガス中に含まれるタールや水分を補捉し、他方のトラップ３２は出口パージ室１４から排出される雰囲気ガス中に含まれるタールや水分を補捉する。
【００１２】
燃焼装置４は、前記回収装置３によって燃焼室４１に回収された揮発物質を、バーナ４２によって燃焼させるものであり、この燃焼に伴って二酸化炭素、窒素及び水蒸気を含むガスが発生し、当該ガスは燃焼室４１の天井部に設けた取出し口４３を通してガス供給装置５に導かれる。
【００１３】
ガス供給装置５は、燃焼装置４の取出し口４３と炉体１の各パージ室１３，１４とを配管５１によって連通し、この配管５１の途中部に、給気ブロワー５２、流量調整弁５３，５４、及び流量計５５，５６を介在したものである。
このガス供給装置５は、燃焼装置４から例えば４０ｍ３／Ｈｒの流量を吸引し、流量調整弁５３，５４によって入口パージ室１３に１０ｍ３／Ｈｒ、出口パージ室１４に３０ｍ３／Ｈｒの流量でパージガスとしてそのまま分配供給する。
【００１４】
このように、前記連続加熱炉は、被処理物から排出された揮発物質の燃焼によって生じるガスを、入口パージ室１３及び出口パージ室１４に還流するので、このガスをパージガスとして再利用することができる。このため、従来供給していたパージガスが不要となり、その分賦活処理コストを削減することができる。また、燃焼装置４で発生するガスを直接大気に廃棄することなく循環再利用するので、環境負荷を低減することもできる。
この発明の連続加熱炉は、前記の実施の形態に限定されるものでなく、例えば、搬送装置２として前記ネットコンベアに代えてローラコンベアやプッシャーを使用すること等、種々の設計変更を施すことができる。
【００１５】
【発明の効果】
以上のように、この発明の賦活処理用連続加熱炉によれば、被処理物から揮発した物質を燃焼して得られるガスを、入口パージ室及び出口パージ室に供給して、パージガスとして循環再利用することができるので、パージ室に供給している従来のパージガスが不要となり、その分、賦活処理費コストを低減することができる。また、燃焼装置で発生するガスを直接大気に廃棄することなく循環再利用するので、環境負荷を低減することもできる。
【図面の簡単な説明】
【図１】この発明の連続加熱炉の一実施形態を示す模式図である。
【図２】上記連続加熱炉の内部構成を示す断面図である。
【符号の説明】
１      炉体
１１    加熱室
１２    冷却室
１３    入口パージ室
１４    出口パージ室
２      搬送装置
３      回収装置
４      燃焼装置
５      ガス供給装置
【図１】
0003785009.tif 000002
【図２】
0003785009.tif 000003